(57)【要約】【課題】衝撃が内容物に伝達しにくいコンパクト容器を提供する。【解決手段】内容物が収容される保持体Ｆと、保持体Ｆが収容され、かつ上方に向けて開口した第１収容凹部２６が形成された容器本体２と、第１収容凹部２６を開閉する蓋体３と、を備えるコンパクト容器１であって、第１収容凹部２６には、保持体Ｆを支持する支持部３５と、支持部３５及び容器本体２間を連結し、かつ弾性変形可能に形成された連結部３６と、を備える第１介装部材３２が配設され、蓋体３には、保持体Ｆを下方に押さえつつ、上下方向に弾性変位自在に支持された押さえ部６１が配設されていることを特徴と【選択図】図１
2015163157.tif 000002
【特許請求の範囲】
【請求項１】
内容物が収容される保持体と、
前記保持体が収容され、かつ上方に向けて開口した収容凹部が形成された容器本体と、
前記収容凹部を開閉する蓋体と、を備えるコンパクト容器であって、
前記収容凹部には、前記保持体を支持する支持部と、前記支持部及び前記容器本体間を連結し、かつ弾性変形可能に形成された連結部と、を備える介装部材が配設され、
前記蓋体には、前記保持体を下方に押さえつつ、上下方向に弾性変位自在に支持された押さえ部が配設されていることを特徴とするコンパクト容器。
【請求項２】
前記保持体及び前記支持部はそれぞれ、上下方向から見た平面視で角部を有する矩形状を呈する筒状とされ、
前記支持部と前記連結部との境界部分のうち、前記支持部の前記角部に位置する部分には、前記支持部を貫通する窓孔が形成されていることを特徴とする請求項１記載のコンパクト容器。
【請求項３】
前記収容凹部の周壁部には、前記支持部に向けて突出し、前記支持部を支持する弾性支持突起が配設されていることを特徴とする請求項１または請求項２記載のコンパクト容器。
【発明の詳細な説明】
【技術分野】
【０００１】
本発明は、コンパクト容器に関する。
【背景技術】
【０００２】
この種のコンパクト容器としては、化粧料等の内容物が収容される保持体と、保持体が収容される収容凹部が形成された容器本体と、保持体と容器本体との間に配設された衝撃緩衝部材と、を備えるものが提案されている（例えば、特許文献１参照）。
このようなコンパクト容器では、衝撃緩衝部材が容器本体から保持体に伝達する衝撃を分散させることによって、保持体内に収容されている化粧料が保持体から飛び出したり飛散したりすることが抑制されると考えられる。
【先行技術文献】
【特許文献】
【０００３】
【特許文献１】特開２０１２−０７５５６５号公報
【発明の概要】
【発明が解決しようとする課題】
【０００４】
しかしながら、上述した従来のコンパクト容器では、落下等によりコンパクト容器に対して衝撃が直接加わると、衝撃は分散されるものの、その衝撃が保持体に伝達されることで、保持体が容器本体から外れるおそれがある。また、内容物として、ドライタイプの化粧料を採用した場合には、内容物が割れたり飛散したりするおそれがある。
【０００５】
本発明は、このような事情に鑑みてなされたものであって、衝撃が内容物に伝達しにくいコンパクト容器を提供することを目的としている。
【課題を解決するための手段】
【０００６】
上記課題を解決するために、本発明は以下の手段を提案している。
本発明に係るコンパクト容器は、内容物が収容される保持体と、前記保持体が収容され、かつ上方に向けて開口した収容凹部が形成された容器本体と、前記収容凹部を開閉する蓋体と、を備えるコンパクト容器であって、前記収容凹部には、前記保持体を支持する支持部と、前記支持部及び前記容器本体間を連結し、かつ弾性変形可能に形成された連結部と、を備える介装部材が配設され、前記蓋体には、前記保持体を下方に押さえつつ、上下方向に弾性変位自在に支持された押さえ部が配設されていることを特徴としている。
【０００７】
この構成によれば、落下等によってコンパクト容器に衝撃力が加えられたときには、容器本体を介して介装部材に衝撃力が伝達されることで、連結部が弾性変形する。これにより、支持部に支持された保持体が弾性変位することで、容器本体を介して保持体に伝達される衝撃力を緩和することができる。
しかも、上下方向に弾性変位自在に支持された押さえ部が蓋体に配設されているため、コンパクト容器に加えられた衝撃力により保持体が上下方向に変位して、蓋体（天壁部）に接触した場合であっても、押さえ部によって衝撃力を緩和することができる。
その結果、保持体内に収容される内容物の割れや飛散を抑制できる。
【０００８】
また、前記保持体及び前記支持部はそれぞれ、上下方向から見た平面視で角部を有する矩形状を呈する筒状とされ、前記支持部と前記連結部との境界部分のうち、前記支持部の前記角部に位置する部分には、前記支持部を貫通する窓孔が形成されていてもよい。
この構成によれば、支持部と連結部との境界部分のうち、支持部の角部に位置する部分に窓孔が形成されているため、コンパクト容器に対角方向の衝撃力が加えられたときには、支持部が窓孔を拡開させつつ弾性変位することになる。これにより、例えば、コンパクト容器に対して角部から衝撃力が入力された場合であっても、容器本体を介して保持体に伝達される衝撃力を緩和することができる。
【０００９】
また、前記収容凹部の周壁部には、前記支持部に向けて突出し、前記支持部を支持する弾性支持突起が配設されていてもよい。
この構成によれば、収容凹部の周壁部に弾性支持突起が配設されているため、コンパクト容器に加えられた衝撃力により保持体が上下方向に直交する水平方向に変位して、収容凹部の周壁部に接触した場合であっても、弾性支持突起によって衝撃力を緩和することができる。
【発明の効果】
【００１０】
本発明に係るコンパクト容器によれば、容器本体を介して保持体に伝達される衝撃力を緩和することができるので、保持体内に収容される内容物の割れや飛散を抑制できる。
【図面の簡単な説明】
【００１１】
【図１】実施形態におけるコンパクト容器の平面図である。
【図２】図１のＡ−Ａ線に沿う断面図である。
【図３】図１のＢ−Ｂ線に沿う断面図である。
【図４】図１のＣ−Ｃ線に沿う断面図である。
【図５】図１のＤ−Ｄ線に沿う断面図である。
【発明を実施するための形態】
【００１２】
以下、本発明の実施形態について、図面を参照して説明する。
図１〜図４に示すように、本実施形態のコンパクト容器１は、例えば化粧料等の内容物を収容する携帯用の蓋付き容器であり、平面視矩形状の扁平容器である。このコンパクト容器１は、内容物が収容された保持体Ｆ及び塗布具Ｐをそれぞれ収容する容器本体２と、容器本体２にヒンジ部４を介して連結された開閉可能な蓋体３と、を備えている。また、コンパクト容器１のうち、ヒンジ部４の反対側の縁部に、蓋体３の容器本体２に対する閉状態を維持する係合部５が設けられている。
【００１３】
なお、本実施形態では、コンパクト容器１の厚さ方向において、蓋体３側を上側とし、容器本体２側を下側とする。また、上下方向に直交する方向において、ヒンジ部４側を後側とし、係合部５側を前側とする。また、上下方向、及び前後方向に直交する水平方向を左右方向とする。
【００１４】
容器本体２は、上方に向けて開口する箱型の外装体６と、外装体６内に嵌合された内装体７と、を有している。
外装体６は、底壁部２１と、底壁部２１の外周縁から上方に向けて立設された周壁部２２と、底壁部２１から上方に向けて立設されるとともに、容器本体２内を左右方向で仕切る仕切壁２３（図２参照）と、を備えている。
【００１５】
底壁部２１は、左右方向を長手方向とする平面視矩形状とされている。
周壁部２２は、平面視で矩形枠状に形成され、前側に位置する前壁部２２ａと、後側に位置する後壁部２２ｂと、左右方向の両側に位置するとともに、前壁部２２ａ及び後壁部２２ｂ間を接続する側壁部２２ｃ，２２ｄと、を有している。前壁部２２ａにおいて、左右方向の中間部には、下方に向けて窪む凹状の切欠部２４が形成されており、この切欠部２４の内側に上述した係合部５が配設されている。
【００１６】
仕切壁２３は、底壁部２１における左右方向の中央部において、前後方向に沿って延設されている。したがって、容器本体２内のうち、仕切壁２３に対して左右方向の一方側には保持体Ｆを収容する第１収容凹部（収容凹部）２６が画成され、仕切壁２３に対して左右方向の他方側には塗布具Ｐを収容する第２収容凹部２７が画成されている。
【００１７】
内装体７は、外装体６のうち、各収容凹部２６，２７の開口端縁上の全域を覆う枠体３１と、第１収容凹部２６内に配設された第１介装部材（介装部材）３２と、第２収容凹部２７内に配設された第２介装部材３３と、を備えている。なお、これら枠体３１、第１介装部材３２、及び第２介装部材３３は、一体に形成されている。
【００１８】
図１、図２、図４に示すように、第１介装部材３２は、枠体３１のうち、第１収容凹部２６に対応する開口縁に連設されている。具体的に、第１介装部材３２は、保持体Ｆを支持する支持部３５と、支持部３５及び枠体３１間を連結し、かつ弾性変形可能に形成された連結部３６と、を有している。
【００１９】
支持部３５は、外形が第１収容凹部２６よりも小さい箱型とされ、第１収容凹部２６内に収容されている。したがって、支持部３５の外周面及び第１収容凹部２６の内周面の間には、上下方向、前後方向、及び左右方向に隙間Ｋが形成されている。なお、図２の例において、支持部３５における周壁部３５ａの上端縁は、仕切壁２３の上端縁よりも上方に位置している。
また、支持部３５の底壁部３５ｂにおいて、前後方向及び左右方向の中央部には、上方に向けて膨出する膨出部３７が形成されている。この膨出部３７は、平面視円形状に形成されるとともに、その頂面は平坦面とされている。なお、膨出部３７のうち、底壁部３５ｂと頂面との間に位置する部分は、上方に向かうに従い前後方向及び左右方向の中央部に向けて傾斜するテーパ部となっている。
【００２０】
図１、図２、図４に示すように、上述した保持体Ｆは、金属等により形成されるとともに、上方に向けて開口する矩形の皿状を呈している。そして、保持体Ｆは、その底壁部４１が上述した膨出部３７の頂面上に固定された状態で、支持部３５内に収容されている。この場合、保持体Ｆの外面のうち、膨出部３７との固定部分以外の部分と、支持部３５の内面と、の間には隙間が形成されている。なお、本実施形態において、保持体Ｆの底壁部４１は、接着剤や両面テープ等を介して膨出部に固定されている。但し、支持部３５内で保持体Ｆが支持される構成であれば、その支持方法は適宜設計変更が可能である。
【００２１】
連結部３６は、平面視において、支持部３５を囲繞する環状を呈し、その内周縁が支持部３５における周壁部３５ａの上端縁に連設され、外周縁が枠体３１の開口縁に連設されている。また、図２、図４に示す断面視において、連結部３６は、左右方向及び前後方向の外側に向かうに従い、上下方向に蛇行しながら上方に向けて延設されている。したがって、連結部３６は、枠体３１に対して支持部３５を弾性変位自在に支持している。なお、内装体７のうち、第１介装部材３２は、枠体３１や第２介装部材３３よりも薄肉になっている。但し、内装体７全体を同じ肉厚にしても構わない。
【００２２】
また、図１、図５に示すように、上述した支持部３５の上端縁（連結部３６との境界部分）のうち、角部に位置する部分には、支持部３５を貫通する窓孔３９が形成されている。なお、図１に示す平面視において、支持部３５の角部は、外側に向けて突の曲面状を呈しており、上述した窓孔３９は角部の全体に亘って形成されている。
【００２３】
さらに、図１、図２、図４に示すように、上述した外装体６のうち、第１収容凹部２６を画成する周壁部（前壁部２２ａ、後壁部２２ｂ、側壁部２２ｃ及び仕切壁２３）には、支持部３５の周壁部３５ａに向けて各別に突出し、支持部３５を支持する複数の弾性支持突起４２ａ〜４２ｄが配設されている。
これら弾性支持突起４２ａ〜４２ｄのうち、前壁部２２ａ及び後壁部２２ｂに形成された弾性支持突起４２ａ，４２ｂは、平面視でＬ字状とされ、第１収容凹部２６における左右方向及び前後方向の中心を通り、上下方向に延びる軸線周りに１８０°回転対称となる位置に配設されている。図１、図４に示すように、弾性支持突起４２ａ，４２ｂは、支持部３５の周壁部３５ａに前後方向で対向するとともに、その先端部が周壁部３５ａに近接または当接している。なお、弾性支持突起４２ａ，４２ｂの先端部には、周壁部３５ａに向けて突出する突出部４３ａ，４３ｂが形成されている。
【００２４】
一方、図１、図２に示すように、弾性支持突起４２ａ〜４２ｄのうち、側壁部２２ｃ及び仕切壁２３に形成された弾性支持突起４２ｃ，４２ｄは、平面視でＴ字状とされ、第１収容凹部２６における左右方向及び前後方向の中心を通り、上下方向に延びる軸線周りに１８０°回転対称となる位置に配設されている。弾性支持突起４２ｃ，４２ｄは、支持部３５の周壁部３５ａに左右方向で対向するとともに、その先端部が周壁部３５ａに近接または当接している。なお、弾性支持突起４２ｃ，４２ｄの先端部には、周壁部３５ａに向けて突出する突出部４３ｃ，４３ｄが形成されている。
【００２５】
第２介装部材３３は、枠体３１のうち、第２収容凹部２７に対応する開口縁から下方に向けて延びる角筒状とされ、第２収容凹部２７の内周面を覆っている。
【００２６】
図２〜図４に示すように、蓋体３は、容器本体２を上方から覆う蓋本体５１と、蓋本体５１を上方から覆う被覆体５２と、を有している。蓋本体５１は、天壁部５３と、天壁部５３を囲繞する周壁部５４と、を備えている。
天壁部５３は、容器本体２の底壁部２１と同様に左右方向を長手方向とする平面視矩形状とされ、閉状態において底壁部２１に上下方向で対向している。また、天壁部５３の下面のうち、第２収容凹部２７と上下方向で対向する部分には、鏡体５６（図２参照）が接合されている。
【００２７】
一方、図２、図４に示すように、天壁部５３のうち、第１収容凹部２６と上下方向で対向する部分には、保持体Ｆを下方に押さえつつ、上下方向に弾性変位自在に支持された押さえ部６１が、天壁部５３と一体に形成されている。押さえ部６１は、その外周縁が前後方向及び左右方向の外側に向かうに従い上下方向に蛇行しながら上方に向けて延びる筒状の可動壁部６２を介して天壁部５３に連設されている。なお、天壁部５３において、押さえ部６１及び可動壁部６２は、その他の部分に比べて薄肉になっている。
【００２８】
可動壁部６２は、弾性変形可能とされ、蓋体３の閉位置において下端部が上述した連結部３６の内側に収容されている。
押さえ部６１は、平面視外形が保持体Ｆの平面視外形と同等になっており、保持体Ｆを上方から覆っている。また、押さえ部６１の外周部分は、保持体Ｆにおける周壁部４０の上端縁に上方から近接または当接している。
【００２９】
なお、蓋体３の周壁部５４は、平面視で矩形枠状に形成され、上述した容器本体２の周壁部２２と同様に、前壁部５４ａ、後壁部５４ｂ、並びにこれら前壁部５４ａ及び後壁部５４ｂ間を接続する側壁部５４ｃ，５４ｄを有している。
【００３０】
図１、図３に示すように、ヒンジ部４は、蓋本体５１の後壁部５４ｂに形成されたヒンジ軸壁部７１と、容器本体２の後壁部２２ｂ及びヒンジ軸壁部７１間を連結する軸部７２と、を備えている。
ヒンジ軸壁部７１は、容器本体２の後壁部２２ｂに形成されたヒンジ凹部７３内に収容されている。
軸部７２は、左右方向に沿って延びるとともに、後壁部２２ｂにおけるヒンジ凹部７３に対して左右方向の両側に位置する部分と、ヒンジ軸壁部７１における左右方向の外側端部と、をそれぞれ連結している。これにより、容器本体２に対して蓋体３が回動自在に支持されている。
【００３１】
係合部５は、コンパクト容器１における前端部の左右方向中央部において、切欠部２４の内側に配設されている。具体的に、係合部５は、容器本体２に設けられた第１フック８１と、蓋体３に設けられ、第１フック８１と係合可能な第２フック８２と、第１及び第２フック８１，８２の係合を解除するための操作部材８３と、を有している。
【００３２】
第１フック８１は、容器本体２の切欠部２４内に配設されたガイド壁部８４を有している。ガイド壁部８４は、その前面が容器本体２の前面よりも後方に配置されるとともに、上方に向かうに従い後方に向けて傾斜する傾斜面８５とされている。
そして、ガイド壁部８４の上端部には、第１爪部８６が前方に向けて突設されている。また、ガイド壁部８４の下端部には、前後方向に沿って延在するガイド穴部８７が形成されている。
【００３３】
第２フック８２は、前壁部５４ａから下方に向けて延設された縦壁部８８を有している。縦壁部８８は、蓋体３の閉状態において、平面視で第１フック８１と重なる位置に配置されている。また、縦壁部８８の下端部には、蓋体３の閉状態において、容器本体２の切欠部２４内に挿通され、第１フック８１の第１爪部８６に係合可能な第２爪部８９が後方に向けて突設されている。
【００３４】
操作部材８３は、切欠部２４の内側において容器本体２に支持されている。そして、操作部材８３は、前後方向の位置が容器本体２の前壁部２２ａ及び蓋体３の前壁部５４ａと同等の位置に配置された押圧壁部９１と、押圧壁部９１から後方に向けて突設された突起部９２と、押圧壁部９１の下端部に形成され、第１フック８１のガイド穴部８７内に挿入されたベース部９３と、を有している。なお、操作部材８３に第１爪部８６を形成し、かつ突起部９２、及び上述したガイド壁部８４の傾斜面８５に代えて、ガイド壁部８４と操作部材８３との間に例えば筒状の弾性体を介在させる構成にしても構わない。
【００３５】
本実施形態によれば、落下等によってコンパクト容器１に衝撃力が加えられたときには、容器本体２を介して第１介装部材３２に衝撃力が伝達されることで、連結部３６が弾性変形する。これにより、支持部３５に支持された保持体Ｆが弾性変位することで、容器本体２を介して保持体Ｆに伝達される衝撃力を緩和することができる。
しかも、本実施形態では、上下方向に弾性変位自在に支持された押さえ部６１が蓋体３側に配設されているため、コンパクト容器１に加えられた衝撃力により保持体Ｆが上下方向に変位して、蓋体３（天壁部５３）に接触した場合であっても、押さえ部６１によって衝撃力を緩和することができる。
その結果、保持体Ｆ内に収容される内容物の割れや飛散を抑制できる。
【００３６】
また、本実施形態では、支持部３５の角部に窓孔３９が形成されているため、コンパクト容器１に対角方向の衝撃力が加えられたときには、支持部３５が窓孔３９を拡開させつつ弾性変位することになる。これにより、例えば、コンパクト容器１に対して角部から衝撃力が入力された場合であっても、容器本体２を介して保持体Ｆに伝達される衝撃力を緩和することができる。
さらに、第１収容凹部２６の周壁部に弾性支持突起４２ａ〜４２ｄが配設されているため、コンパクト容器１に加えられた衝撃力により保持体Ｆが前後方向や左右方向に変位して、第１収容凹部２６の周壁部に接触した場合であっても、弾性支持突起４２ａ〜４２ｄによって衝撃力を緩和することができる。
【００３７】
また、本実施形態では、保持体Ｆが支持部３５の膨出部３７の頂面に支持されているため、コンパクト容器１に衝撃力が加えられたときには、底壁部３５ｂと膨出部３７の頂面との間に位置するテーパ部が弾性変形することで、保持体Ｆに伝達される衝撃力がより緩和され易くなる。
しかも、膨出部３７を介して保持体Ｆを押さえ部６１に向けて当接させることで、蓋体３の閉状態において、コンパクト容器１内で保持体Ｆをがたつきなく安定して保持できる。これによっても、第１介装部材３２及び押さえ部６１より、保持体Ｆに伝達される衝撃力がより緩和され易くなる。
【００３８】
以上、本発明の実施形態について図面を参照して詳述したが、具体的な構成はこの実施形態に限られるものではなく、本発明の要旨を逸脱しない範囲の設計変更等も含まれる。
【００３９】
例えば、上述した実施形態では、保持体Ｆや容器本体２を平面視で矩形状に形成した場合について説明したが、これに限らず、他の形状であってもよい。
さらに、上述した実施形態では、内装体７として、枠体３１を介して第１介装部材３２及び第２介装部材３３が一体に形成された場合について説明したが、これに限らず、少なくとも第１介装部材３２のみを有していれば構わない。
【００４０】
また、上述した実施形態では、容器本体２に保持体Ｆ及び塗布具Ｐを収容する構成について説明したが、少なくとも保持体Ｆが収容可能であれば構わない。
さらに、保持体Ｆ内に収容される内容物は、化粧料に限られない。
また、上述した実施形態では、支持部３５は、保持体Ｆを支持できる形状であれば、底壁部３５ｂを有さない構成であれば構わない。
但し、本実施形態のように、底壁部３５ｂを有する構成を採用することで、コンパクト容器１に衝撃力が加えられた際に、支持部３５から保持体Ｆが脱落するのを防止できる点で好ましい。
【００４１】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４２】
１…コンパクト容器
２…容器本体
３…蓋体
２６…第１収容凹部（収容凹部）
３２…第１介装部材（介装部材）
３５…支持部
３６…連結部
３９…窓孔
４２ａ〜４２ｄ…弾性支持突起
６１…押さえ部
Ｆ…保持体
【図１】
2015163157.tif 000003
【図２】
2015163157.tif 000004
【図３】
2015163157.tif 000005
【図４】
2015163157.tif 000006
【図５】
2015163157.tif 000007